(57)【要約】【課題】蓋体の意図しない開栓を防止する機構を有し、必要な時には容易に開栓することができるキャップを提供すること。【解決手段】キャップ基部２０及び蓋部４０を有するキャップ本体１０と、スカート５０とを有し、スカート５０は開栓防止用スカート係合部としてのスカート係合アーム５３及びスナップ用スカート係合部を有し、蓋部４０は開栓防止用蓋部係合部としての蓋部係合爪４１を有し、キャップ本体１０はスナップ用キャップ本体係合部を有し、スカート５０とキャップ本体１０とを回転させることにより、スカート係合アーム５３と蓋部係合爪４１とを係合させることができ、スカート係合アーム５３と蓋部係合爪４１とが係合しているとき、蓋部４０の開栓方向への揺動が防止され、かつ、スナップ用スカート係合部とスナップ用キャップ本体係合部とがスナップ係合してスカート５０とキャップ本体１０との相対的な回転が制限される、キャップ１００。【選択図】図９
2020055586.tif 000002
【特許請求の範囲】
【請求項１】
容器の口部に装着され、容器の内部につながるスカート開口部を有するスカートと、
前記スカートに回転可能に嵌合されたキャップ本体と
を有するキャップであって、
（１）前記キャップ本体は、キャップ基部と、前記キャップ基部にヒンジを介して連結された蓋部とを有し、
（２）前記蓋部は、前記ヒンジによって揺動して開栓及び閉栓を行うことができ、
（３）前記スカートは、開栓防止用スカート係合部を有し、前記蓋部は、開栓防止用蓋部係合部を有し、
（４）前記スカートは、スナップ用スカート係合部を有し、前記キャップ本体はスナップ用キャップ本体係合部を有し、
ここで、
前記スカートと前記キャップ本体とを、前記キャップの軸周りに相対的に回転させることにより、前記開栓防止用スカート係合部と前記開栓防止用蓋部係合部とを、互いに係合させ、又は係合を外させることができ、
前記開栓防止用スカート係合部と前記開栓防止用蓋部係合部とが係合しているときには、前記蓋部の開栓方向への揺動が防止され、
前記開栓防止用スカート係合部と前記開栓防止用蓋部係合部との係合が外れているときには、前記蓋部の開栓方向への揺動が可能となり、かつ、
前記開栓防止用スカート係合部と前記開栓防止用蓋部係合部とが係合しているときに、前記スナップ用スカート係合部と前記スナップ用キャップ本体係合部とがスナップ係合することにより、前記スカートと前記キャップ本体との相対的な回転が制限される、
キャップ。
【請求項２】
前記開栓防止用蓋部係合部が、前記蓋部から突出する蓋部係合爪であり、
前記開栓防止用スカート係合部が、前記スカートから前記蓋部係合爪に向かって延在するスカート係合アームであり、
前記キャップ基部が、前記スカート係合アームを貫通させて前記蓋部係合爪に到達させるためのスカート係合アーム貫通孔を有する、
請求項１に記載のキャップ。
【請求項３】
前記開栓防止用スカート係合部が、前記スカートから突出するスカート係合爪であり、
前記開栓防止用蓋部係合部が、前記蓋部から前記スカート係合爪に向かって延在する蓋部係合アームであり、
前記キャップ基部及び前記スカートが、それぞれ、前記蓋部係合アームを貫通させて前記スカート係合爪に到達させるための蓋部係合アーム貫通孔を有する、
請求項１に記載のキャップ。
【請求項４】
前記開栓防止用スカート係合部が、前記スカートから延在するスカート係合アームであり、
前記開栓防止用蓋部係合部が、前記蓋部から前記スカート係合アームに向かって延在する蓋部係合アームであり、
前記キャップ基部が、前記蓋部係合アームを貫通させて前記スカート係合アームに到達させるための蓋部係合アーム貫通孔を有する、
請求項１に記載のキャップ。
【請求項５】
前記スナップ用スカート係合部がスカート凸部であり、前記スナップ用キャップ本体係合部がキャップ本体凹部であり、
前記スカートと前記キャップ本体とを前記キャップの軸周りに相対的に回転させることにより、前記スカート凸部と前記キャップ本体凹部とをスナップ係合させ、又はスナップ係合を外させることができる、
請求項１〜４のいずれか一項に記載のキャップ。
【請求項６】
前記スナップ用スカート係合部がスカート凹部であり、前記スナップ用キャップ本体係合部がキャップ本体凸部であり、
前記スカートと前記キャップ本体とを前記キャップの軸周りに相対的に回転させることにより、前記スカート凹部と前記キャップ本体凸部とをスナップ係合させ、又はスナップ係合を外させることができる、
請求項１〜４のいずれか一項に記載のキャップ。
【請求項７】
前記開栓防止用スカート係合部及び前記開栓防止用蓋部係合部の組の数が１組である、請求項１〜６のいずれか一項に記載のキャップ。
【請求項８】
前記開栓防止用スカート係合部及び前記開栓防止用蓋部係合部の組の数が２組以上である、請求項１〜６のいずれか一項に記載のキャップ。
【請求項９】
前記スカート及び前記キャップ本体が、それぞれ、略円柱形状、略楕円柱形状、又は略多角柱形状を有する、請求項１〜８のいずれか一項に記載のキャップ。
【請求項１０】
請求項１〜９のいずれか一項に記載のキャップ、及び容器から構成される、キャップ付き容器。
【発明の詳細な説明】
【技術分野】
【０００１】
本発明は、キャップに関する。
【背景技術】
【０００２】
シャンプー・リンス等の日用品、洗剤、化粧品、消毒液等の内容物を収納するための容器として、キャップ付き容器が多用されている。キャップ付き容器のキャップとしては、キャップ本体と、このキャップ本体にヒンジを介して連結されている蓋体とを有する構成のものが知られている。このキャップ付き容器では、片手で蓋体を揺動させることによって、容易に開栓及び閉栓を行うことができる。
【０００３】
このような容器では、蓋体が閉状態にあるときには、蓋体とキャップ本体とが嵌合して密閉が形成されており、この嵌合状態を解除しないと、内容物を排出できない構成を有している。
【０００４】
しかし、このような容器を、例えば、バック等に入れて持ち歩いている際に容器の蓋体に不用意な力が加わることにより、又は子どものいたずらにより、蓋体とキャップ本体との嵌合が意図せずに解除され、内容物が意図せずに漏れ出ることがある。
【０００５】
このような意図しない内容物の漏出を防止するための技術が提案されている。例えば特許文献１には、ベースと、ベース上に回転可能に保持されたキャップ本体とを備えるキャップであって、キャップ本体はヒンジを介して揺動可能に連結された蓋体を有し、ベースとキャップ本体との間の回転によって蓋体の開栓方向への揺動を防止するロック機構が設けられたキャップが記載されている。
【先行技術文献】
【特許文献】
【０００６】
【特許文献１】特開２００２−３３７９０４号公報
【発明の概要】
【発明が解決しようとする課題】
【０００７】
本発明の目的は、蓋体の意図しない開栓を防止する機構を有し、かつ、必要な時には容易に開栓することができる、キャップ付き容器のためのキャップを提供することである。
【課題を解決するための手段】
【０００８】
上記の目的を達成する本発明は、以下のとおりである。
【０００９】
《態様１》
容器の口部に装着され、容器の内部につながるスカート開口部を有するスカートと、
上記スカートに回転可能に嵌合されたキャップ本体と
を有するキャップであって、
（１）上記キャップ本体は、キャップ基部と、上記キャップ基部にヒンジを介して連結された蓋部とを有し、
（２）上記蓋部は、上記ヒンジによって揺動して開栓及び閉栓を行うことができ、
（３）上記スカートは、開栓防止用スカート係合部を有し、上記蓋部は、開栓防止用蓋部係合部を有し、
（４）上記スカートは、スナップ用スカート係合部を有し、上記キャップ本体はスナップ用キャップ本体係合部を有し、
ここで、
上記スカートと上記キャップ本体とを、上記キャップの軸周りに相対的に回転させることにより、上記開栓防止用スカート係合部と上記開栓防止用蓋部係合部とを、互いに係合させ、又は係合を外させることができ、
上記開栓防止用スカート係合部と上記開栓防止用蓋部係合部とが係合しているときには、上記蓋部の開栓方向への揺動が防止され、
上記開栓防止用スカート係合部と上記開栓防止用蓋部係合部との係合が外れているときには、上記蓋部の開栓方向への揺動が可能となり、かつ、
上記開栓防止用スカート係合部と上記開栓防止用蓋部係合部とが係合しているときに、上記スナップ用スカート係合部と上記スナップ用キャップ本体係合部とがスナップ係合することにより、上記スカートと上記キャップ本体との相対的な回転が制限される、
キャップ。
《態様２》
上記開栓防止用蓋部係合部が、上記蓋部から突出する蓋部係合爪であり、
上記開栓防止用スカート係合部が、上記スカートから上記蓋部係合爪に向かって延在するスカート係合アームであり、
上記キャップ基部が、上記スカート係合アームを貫通させて上記蓋部係合爪に到達させるためのスカート係合アーム貫通孔を有する、
態様１に記載のキャップ。
《態様３》
上記開栓防止用スカート係合部が、上記スカートから突出するスカート係合爪であり、
上記開栓防止用蓋部係合部が、上記蓋部から上記スカート係合爪に向かって延在する蓋部係合アームであり、
上記キャップ基部及び上記スカートが、それぞれ、上記蓋部係合アームを貫通させて上記スカート係合爪に到達させるための蓋部係合アーム貫通孔を有する、
態様１に記載のキャップ。
《態様４》
上記開栓防止用スカート係合部が、上記スカートから延在するスカート係合アームであり、
上記開栓防止用蓋部係合部が、上記蓋部から上記スカート係合アームに向かって延在する蓋部係合アームであり、
上記キャップ基部が、上記蓋部係合アームを貫通させて上記スカート係合アームに到達させるための蓋部係合アーム貫通孔を有する、
態様１に記載のキャップ。
《態様５》
上記スナップ用スカート係合部がスカート凸部であり、上記スナップ用キャップ本体係合部がキャップ本体凹部であり、
上記スカートと上記キャップ本体とを上記キャップの軸周りに相対的に回転させることにより、上記スカート凸部と上記キャップ本体凹部とをスナップ係合させ、又はスナップ係合を外させることができる、
態様１〜４のいずれか一項に記載のキャップ。
《態様６》
上記スナップ用スカート係合部がスカート凹部であり、上記スナップ用キャップ本体係合部がキャップ本体凸部であり、
上記スカートと上記キャップ本体とを上記キャップの軸周りに相対的に回転させることにより、上記スカート凹部と上記キャップ本体凸部とをスナップ係合させ、又はスナップ係合を外させることができる、
態様１〜４のいずれか一項に記載のキャップ。
《態様７》
上記開栓防止用スカート係合部及び上記開栓防止用蓋部係合部の組の数が１組である、態様１〜６のいずれか一項に記載のキャップ。
《態様８》
上記開栓防止用スカート係合部及び上記開栓防止用蓋部係合部の組の数が２組以上である、態様１〜６のいずれか一項に記載のキャップ。
《態様９》
上記スカート及び上記キャップ本体が、それぞれ、略円柱形状、略楕円柱形状、又は略多角柱形状を有する、態様１〜８のいずれか一項に記載のキャップ。
《態様１０》
態様１〜９のいずれか一項に記載のキャップ、及び容器から構成される、キャップ付き容器。
【発明の効果】
【００１０】
本発明のキャップは、意図しない開栓を防止する機構を有するとともに、必要な時には容易に開栓することが可能である。本発明のキャップは、スカートとキャップ本体との相対的な回転によって、開栓防止状態と開栓可能状態との選択が可能であり、かつ、両者の相対的な回転を制限するスナップ係合部が設けられている。そのため、例えば、意図せずにキャップに回転力を加えたときには、スカートとキャップ本体との相対的な回転が制限されて開栓を防止することができる。しかし、開栓を意図して、例えば両手でスカートとキャップ本体との間に相対的な回転力を加えたときには、容易な開栓が可能である。
【図面の簡単な説明】
【００１１】
【図１】図１は、本発明のキャップのある実施形態におけるキャップ本体を説明するための上面図である。
【図２】図２は、図１のＡ−Ａ矢視図である。
【図３】図３は、図１のＢ−Ｂ矢視図である。
【図４】図４は、キャップ本体の斜視図である。
【図５】図５は、本発明のキャップのある実施形態におけるスカートを説明するための上面図である。
【図６】図６は、図５のＡ−Ａ矢視図である。
【図７】図７は、図５のＢ−Ｂ矢視図である。
【図８】図８は、スカートの斜視図である。
【図９】図９は、本発明のキャップのある実施形態において、キャップ本体及びスカートが嵌合し、閉栓状態にあるときの状態を説明するための、側面断面図である。
【図１０】図１０は、嵌合及び閉栓状態にある図９のキャップの正面断面図である。
【図１１】図１１は、図１０のＡ−Ａ矢視図である。
【図１２】図１２は、図９〜図１１のキャップにおいて、キャップ本体及びスカートが嵌合し、開栓可能状態にあるときの状態を説明するための、側面断面図である。
【図１３】図１３は、嵌合及び開栓可能状態にある図１２のキャップの正面断面図である。
【図１４】図１４は、図１２のＡ−Ａ矢視図である。
【図１５】図１５は、本発明のキャップの別の実施形態において、キャップ本体及びスカートが嵌合し、閉栓状態にあるときの状態を説明するための、側面断面図である。
【図１６】図１６は、本発明のキャップの更に別の実施形態において、キャップ本体及びスカートが嵌合し、閉栓状態にあるときの状態を説明するための、側面断面図である。
【図１７】図１７は、本発明のキャップの別の実施形態におけるスナップ係合部の構成を説明するための概略断面図である。
【発明を実施するための形態】
【００１２】
《キャップ》
本発明のキャップは、
容器の口部に装着され、容器の内部につながるスカート開口部を有するスカートと、
スカートに回転可能に嵌合されたキャップ本体と
を有するキャップであって、
（１）キャップ本体は、キャップ基部と、キャップ基部にヒンジを介して連結された蓋部とを有し、
（２）蓋部は、ヒンジによって揺動して開栓及び閉栓を行うことができ、
（３）スカートは、開栓防止用スカート係合部を有し、蓋部は、開栓防止用蓋部係合部を有し、
（４）スカートは、スナップ用スカート係合部を有し、キャップ本体はスナップ用キャップ本体係合部を有し、
ここで、
スカートとキャップ本体とを、キャップの軸周りに相対的に回転させることにより、開栓防止用スカート係合部と開栓防止用蓋部係合部とを、互いに係合させ、又は係合を外させることができ、
開栓防止用スカート係合部と開栓防止用蓋部係合部とが係合しているときには、蓋部の開栓方向への揺動が防止され、
開栓防止用スカート係合部と開栓防止用蓋部係合部との係合が外れているときには、蓋部の開栓方向への揺動が可能となり、かつ、
開栓防止用スカート係合部と開栓防止用蓋部係合部とが係合しているときに、スナップ用スカート係合部とスナップ用キャップ本体係合部とがスナップ係合することにより、スカートとキャップ本体との相対的な回転が制限されることを特徴とする。
【００１３】
「スナップ係合」とは、「スナップフィット」、「クリック係合」、「クリックストップ」等とも呼ばれ、相対的に移動する２つの部品が、予め定められた所定の位置関係になったときに、一時的に固定される係合状態をいう。２つの部品を相対的に移動させる駆動力が弱いときにはスナップ係合の状態に至ることはできないが、駆動力が所定値よりも大きくなるとスナップ係合に至ることができる。２つの部品がスナップ係合の状態にあるときには、これら２つの部品を相対的に移動させる駆動力が弱いときにはこの係合が外れないが、駆動力が所定値よりも大きくなると係合を外すことができる。
【００１４】
このようなスナップ係合は、例えば、弾性変形可能な材料から構成された凸部及び凹部とから成るスナップ係合部によって実現することができる。スナップ係合部の凹部は、例えば、近接して形成された２つの突起間の凹部であってよい。
【００１５】
以下、本発明のキャップについて、図面を参照しつつ詳細に説明する。しかしながら本発明は、以下に図示された特定の態様に限定されることはない。本発明の範囲は、添付の特許請求の範囲によって画定される。
【００１６】
〈キャップ本体〉
図１〜４に、本発明のキャップを構成するキャップ本体の一例の形状を説明するための図を示す。図１はキャップ本体（１０）の上面図であり、図２は図１のＡ−Ａ矢視図であり、図３は図１のＢ−Ｂ矢視図であり、図４は斜視図である。
【００１７】
図１〜４に示したキャップ本体（１０）は、キャップ基部（２０）と、キャップ基部（２０）にヒンジ（３０）を介して連結された蓋部（４０）とを有する。蓋部（４０）は、ヒンジ（３０）によって揺動して、開栓及び閉栓を行うことができる。図１及び図２は、蓋部が全開状態のときの形態を示している。図４は、蓋部が開状態であるが、閉栓方向にも開栓方向にも更に揺動可能な位置にあるときの形態を示している。
【００１８】
蓋部（４０）は、蓋部平面部（４５）と、蓋部平面部（４５）に保持された蓋部懸垂部（４６）とを有し、ヒンジ（３０）は蓋部懸垂部（４６）に連結されている。蓋部（４０）は、蓋部係合爪（４１）を有する。この蓋部係合爪（４１）は、後述のスカート係合部としてのスカート係合アームと係合して、蓋部（４０）の開栓方向への揺動を防止するキャップ本体係合部である。蓋部係合爪（４１）は、例えば、蓋部懸垂部（４６）から蓋の中心方向に突出する突起であってよい。
【００１９】
キャップ基部（２０）は、キャップ基部平面部（２５）と、キャップ基部平面部（２５）に保持されたキャップ基部懸垂部（２６）とを有し、ヒンジ（３０）はキャップ基部平面部（２５）に連結されている。キャップ基部平面部（２５）には、スカート係合アームを貫通させて蓋部係合爪（４１）に到達させるための、スカート係合アーム貫通孔（２１）が形成されていてよい。スカート係合アーム貫通孔（２１）は、スカート係合アームの貫通を維持しつつスカートとキャップ本体（１０）とを、キャップの軸周りに相対的に回転させ得るように、弧状に形成されていてよい。ここで、後述するように、本発明のキャップは、例えば、略円柱形状、略楕円柱形状、略多角柱形状等の柱状の形状を有していてよい。「キャップの軸」とは、例えば、キャップを構成する柱状形状の中心軸であってよい。
【００２０】
スカートとキャップ本体（１０）との相対的な回転によって、スカート係合アームと蓋部係合爪（４１）とを係合させ、及び係合を外させることができるように、弧の角度は、例えば、１５°以上、３０°以上、４５°以上、６０°以上、７５°以上、又は９０°以上であってよい。一方で、キャップ基部（２０）の強度を維持し、かつ過度の回転を防止するために、弧の角度は、例えば、１８０°以下、１６５°以下、１５０°以下、１３５°以下、又は１２０°以下であってよい。
【００２１】
キャップ基部（２０）のキャップ基部平面部（２５）には、後述のスカート開口部を介して容器の内部に連通するキャップ口部（２４）が形成されていてよい。蓋部（４０）の蓋部平面部（４５）は、蓋部密閉形成部（４２）を有していてよい。蓋部（４０）が閉状態のとき、キャップ口部（２４）と蓋部密閉形成部（４２）とは共同して密閉を形成し、容器の内容物が漏れないように構成されていてよい。蓋部密閉形成部（４２）は、密閉を形成するために、例えば、リング、フィン、ピン、インサート、スリーブ、スカート等を有していてよい。図１〜４に示したキャップ本体（１０）の蓋部密閉形成部（４２）では、キャップ口部（２４）を内側及び外側から挟持するように同心円状に配置された２つのリングを有している。
【００２２】
図２〜図４を参照する。キャップ基部懸垂部（２６）には、キャップ本体回転用凹部（２２）が形成されている。キャップ本体回転用凹部（２２）は、キャップ基部懸垂部（２６）の外側面上を１周する凹部として形成されている。このキャップ本体回転用凹部（２２）は、後述のスカートが有するスカート回転用凸部と嵌合して、キャップ本体（１０）とスカートとを回転可能に保持する機能を有する。
【００２３】
キャップ基部懸垂部（２６）には、更に、近接して配置された２つのキャップ本体凹部形成突起（２３ａ、２３ｂ）が形成されていてよい。これら２つのキャップ本体凹部形成突起（２３ａ、２３ｂ）の間隙には、スナップ係合部としてのキャップ本体凹部（２３）が形成されることになる。
【００２４】
図４を参照すると、キャップ基部懸垂部（２６）の外側面上に、２つのキャップ本体凹部形成突起（２３ａ、２３ｂ）が近接して形成されており、これらによってキャップ本体凹部（２３）が形成されている様子が理解できる。２つのキャップ本体凹部形成突起（２３ａ、２３ｂ）、及びキャップ本体凹部（２３）の組は、キャップ基部懸垂部（２６）の外側円周に沿って、例えば略９０°おきに４組存在していてよい。２つのキャップ本体凹部形成突起（２３ａ、２３ｂ）、及びキャップ本体凹部（２３）の機能、及びこれらの組の数については後述する。
【００２５】
〈スカート〉
図５〜８に、本発明のキャップを構成するスカートの一例の形状を説明するための図を示す。図５はスカート（５０）の上面図であり、図６は図５のＡ−Ａ矢視図であり、図７は図５のＢ−Ｂ矢視図であり、図８は斜視図である。
【００２６】
図５〜８に示したスカート（５０）は、スカート平面部（５５）と、スカート平面部（５５）に保持されたスカート懸垂部（５６）と、同じくスカート平面部（５５）に保持されたスカート外壁（５７）とを有する。スカート平面部（５５）には、容器の内部につながるスカート開口部（５１）が形成されており、スカート懸垂部（５６）とスカート外壁（５７）とは、スカート懸垂部（５６）を内側にして同心に形成されている。
【００２７】
スカート（５０）は、スカート係合アーム（５３）を有する。スカート係合アーム（５３）は、蓋部係合爪（４１）と係合して、蓋部（４０）の開栓方向への揺動を防止するスカート係合部である。スカート係合アーム（５３）は、例えば図６及び図８に見られるように、スカート平面部（５５）から図の上方向に延在するアーム状の突起であってよく、先端に蓋部係合爪（４１）と係合するための爪を有していてよい。
【００２８】
図６及び図７を参照する。スカート懸垂部（５６）には、スカート回転用凸部（５２）が形成されている。このスカート回転用凸部（５２）は、スカート懸垂部（５６）の内側面上を１周する凸部として形成されている。このスカート回転用凸部（５２）は、キャップ基部懸垂部（２６）のキャップ本体回転用凹部（２２）と嵌合して、キャップ本体（１０）とスカート（５０）とを回転可能に保持する機能を有する。
【００２９】
図５を参照すると、スカート懸垂部（５６）の内側面上に、更に、スナップ用スカート係合部としてのスカート凸部（５４）が形成されている様子が示されている。図５のスカート凸部（５４）には、スカート懸垂部（５６）の内側円周に沿って、略１８０°離隔した位置に２個存在している。スカート凸部（５４）の機能、及びその好ましい数については後述する。
【００３０】
〈キャップ本体とスカートとの嵌合状態〉
キャップ本体（１０）とスカート（５０）とを、キャップ軸周りに相対的に回転可能なように嵌合させることにより、本発明のキャップとして用いることができる。図９〜図１４に、キャップ本体（１０）及びスカート（５０）が嵌合した状態を示す。
【００３１】
図９及び図１０は、キャップ本体（１０）とスカート（５０）とが嵌合されたキャップ（１００）において、蓋部（４０）の開栓方向への揺動が防止されている状態を示す。図９は側面の断面図であり、図１０は正面の断面図である。
【００３２】
図９及び図１０を参照すると、キャップ基部懸垂部（２６）の外側面に形成されたキャップ本体回転用凹部（２２）と、スカート懸垂部（５６）の内側面に形成されたスカート回転用凸部（５２）とが、キャップ軸周りに回転可能に嵌合されている状態が理解される。
【００３３】
この状態では、キャップ口部（２４）とスカート開口部（５１）とは一体となって容器内部へ連通している。
【００３４】
この状態では、更にスカート係合アーム（５３）が、キャップ基部平面部（２５）に形成されたスカート係合アーム貫通孔（２１）を貫通して、蓋部懸垂部（４６）から内側に突出する蓋部係合爪（４１）に到達し、蓋部係合爪（４１）とスカート係合アーム（５３）の先端の爪とが係合している。これにより、蓋部（４０）が開栓方向に揺動することが防止されている。
【００３５】
図１２及び図１３は、キャップ本体（１０）とスカート（５０）とが嵌合されたキャップ（１００）において、蓋部（４０）の開栓方向への揺動が可能な状態を示す。図１２は側面の断面図であり、図１３は正面の断面図である。図１２及び図１３の状態は、図９及び図１０に示した状態に対して、キャップ本体（１０）を固定したまま、スカート（５０）をキャップ軸周りに９０°回転させた状態に相当する。
【００３６】
図１２及び図１３においても、キャップ基部懸垂部（２６）の外側面のキャップ本体回転用凹部（２２）と、スカート懸垂部（５６）の内側面のスカート回転用凸部（５２）とは、回転可能に嵌合されており、キャップ口部（２４）とスカート開口部（５１）とが一体となって容器内部へ連通していることは、図９及び図１０の場合と同様である。
【００３７】
しかしながら、この場合、キャップ本体（１０）とスカート（５０）との相対的な回転によって、スカート係合アーム（５３）の位置は、蓋部係合爪（４１）と係合可能な位置からずれている。そのため、スカート係合アーム（５３）は、図１２の側面断面図には現れず、蓋部係合爪（４１）が存在していない図１３の正面断面図の方に出現している。この状態では、蓋部（４０）の開栓方向への揺動を妨げる要素はないから、開栓可能である。
【００３８】
（キャップ本体係合部及びスカート係合部の数）
図９、１０、１２、及び１３に示したキャップ（１００）では、キャップ本体（１０）がキャップ本体係合部としての蓋部係合爪（４１）を有し、スカート（５０）がスカート係合部としてのスカート係合アーム（５３）を有し、これらキャップ本体係合部及びスカート係合部の組の数は、１組である。しかしながら、キャップ本体係合部及びスカート係合部の組の数は１組であってもよいし、２組以上であってもよい。好ましくは１〜４組であり、更に好ましくは１組又は２組である。
【００３９】
（スナップ用キャップ係合部及びスナップ用スカート係合部）
次に図１１及び図１４を参照する。図１１は、キャップ本体（１０）とスカート（５０）とが嵌合されたキャップ（１００）において、蓋部（４０）の開栓方向への揺動が防止されている状態を示す図９のＡ−Ａ矢視図である。図１４は、蓋部（４０）の開栓方向への揺動が可能な状態を示す図１２のＡ−Ａ矢視図である。図１１及び図１４の矢視図では、それぞれ、内側の円を構成するキャップ本体（１０）のうちのキャップ基部懸垂部（２６）の断面と、外側の円を構成するスカート（５０）のうちのスカート懸垂部（５６）の断面とが見えている。
【００４０】
図１１において、内側の円として現れるキャップ基部懸垂部（２６）は、略９０°ごとの４カ所の外側壁に、２つのキャップ本体凹部形成突起（２３ａ、２３ｂ）から成る組を有し、各組における２つのキャップ本体凹部形成突起（２３ａ、２３ｂ）の間隙には、キャップ本体凹部（２３）が形成されている。
【００４１】
図１１において、外側の円として現れるスカート懸垂部（５６）は、略１８０°ごとの２カ所の内側壁に、スカート凸部（５４）を有する。
【００４２】
キャップ基部懸垂部（２６）のキャップ本体凹部（２３）は、スナップ用キャップ係合部として機能し、スカート懸垂部（５６）のスカート凸部（５４）は、スナップ用スカート係合部として機能する。すなわち、スカート係合アーム（５３）と蓋部係合爪（４１）とが係合して、蓋部（４０）の開栓方向への揺動が制限されているときに、キャップ本体凹部（２３）とスカート凸部（５４）とがスナップ係合し、これにより、スカート（５０）とキャップ本体（１０）とのキャップ軸周りの相対的な回転が制限される。図１１には、スカート懸垂部（５６）のスカート凸部（５４）は図の水平方向の２カ所にあり、それぞれ、キャップ基部懸垂部（２６）のキャップ本体凹部（２３）のうちの水平方向の２つと係合（スナップ係合）している様子が示されている。
【００４３】
図１１の状態からスカート（５０）が回転するには、スカート凸部（５４）がキャップ本体凹部形成突起（２３ａ、２３ｂ）を乗り越えることを要する。ここで、スカート（５０）とキャップ本体（１０）との間に加えられる回転力が小さければ、スカート凸部（５４）はキャップ本体凹部形成突起（２３ａ、２３ｂ）を乗り越えられず、スナップ係合を外すことはできない。しかし、加えられる回転力が大きければ、キャップ基部懸垂部（２６）若しくはスカート懸垂部（５６）、又はこれらの双方が弾性変形して、スカート凸部（５４）が２つ（一組）のキャップ本体凹部形成突起（２３ａ、２３ｂ）のうちのどちらかを乗り越えてスナップ係合が外れ、スカート（５０）がキャップ本体（１０）に対して回転することが可能となる。その結果、蓋部（４０）の開栓方向への揺動が可能な図１２及び図１３に示した状態に至ることができ、キャップの開栓が可能となる。キャップが開栓されると、一体となって容器内部へ連通しているキャップ口部（２４）及びスカート開口部（５１）を介して、容器内容物を取り出すことができる。
【００４４】
スカート（５０）とキャップ本体（１０）との間に加えられる小さい回転力としては、例えば、運搬中の振動等により偶然加えられる回転力、幼児がいたずらして開栓しようとして加えられる回転力、不用意に触れてしまった場合の回転力等が考えられる。大きい回転力は、例えば、大人が開栓を意図して、片方の手でスカート（５０）を保持し、もう片方の手でキャップ本体（１０）を回すときの回転力等である。
【００４５】
ここで、２つのキャップ本体凹部形成突起のうちの片方を、大きい回転力によっても乗り越えられない程度に大きい突起とすれば、本発明のキャップにおけるスナップ係合部を回転方向制御にも使用することができる。
【００４６】
図１１のキャップ（１００）では、２つ（一組）のキャップ本体凹部形成突起のうちの片方を、大きなキャップ本体凹部形成突起（２３ａ）とし、大きなキャップ本体凹部形成突起（２３ａ）及び小さなキャップ本体凹部形成突起（２３ｂ）の形成順が、キャップ基部懸垂部（２６）の外側壁上で隣接する他の組の形成順と逆順になるように構成されている。すなわち、図１１の内側円周を右側の組から時計回りに見た場合、
大きなキャップ本体凹部形成突起（２３ａ）、小さなキャップ本体凹部形成突起（２３ｂ）の順の組（図１１の右側）；
小さなキャップ本体凹部形成突起（２３ｂ）、大きなキャップ本体凹部形成突起（２３ａ）の順の組（図１１の下側）；
大きなキャップ本体凹部形成突起（２３ａ）、小さなキャップ本体凹部形成突起（２３ｂ）の順の組（図１１の左側）；及び
小さなキャップ本体凹部形成突起（２３ｂ）、大きなキャップ本体凹部形成突起（２３ａ）の順の組（図１１の上側）；
の順に存在している。
【００４７】
キャップ本体凹部形成突起の配置順を上記のように設定することにより、キャップ（１００）のスカート（５０）は、キャップ本体（１０）に対して時計回りに９０°回転することはできるが、反時計回りへの回転は防止される。
【００４８】
図１４は、蓋部（４０）の開栓方向への揺動が可能な状態を示す図１２のＡ−Ａ矢視図であり、図１１の状態から、内側の円として現れるキャップ基部懸垂部（２６）を固定したまま、外側の円として現れるスカート懸垂部（５６）を時計回りに９０°回転させた状態に相当する。図１４では、スカート懸垂部（５６）のスカート凸部（５４）は図の上下方向の２カ所にあり、それぞれ、キャップ基部懸垂部（２６）のキャップ本体凹部（２３）のうちの上下方向の２つとスナップ係合している。
【００４９】
この状態でスカート（５０）とキャップ本体（１０）との間に回転力が加わったとき、スカート凸部（５４）は大きなキャップ本体凹部形成突起（２３ａ）を乗り越えることはできないから、スカート（５０）がキャップ本体（１０）に対して時計回りに回転することは禁止されている。これにより、スカート（５０）のスカート係合アーム（５３）がキャップ基部（２０）のスカート係合アーム貫通孔（２１）の形成範囲を超えて回転移動することが防止されるから、スカート係合アーム（５３）、スカート係合アーム貫通孔（２１）等の破損を予防することができる。
【００５０】
一方、スカート（５０）の反時計回りの回転については、スカート（５０）とキャップ本体（１０）との間に加えられる回転力が小さければ、スカート凸部（５４）は、小さなキャップ本体凹部形成突起（２３ｂ）を乗り越えられず、回転できない。しかし、加えられる回転力が大きければ、スカート凸部（５４）は小さなキャップ本体凹部形成突起（２３ｂ）を乗り越えて、スカート（５０）がキャップ本体（１０）に対して反時計回りに回転することが可能となる。したがって、この態様のキャップ（１００）では、キャップの開栓中に、スカート（５０）とキャップ本体（１０）とが相対的に回転することを防止することができ、本発明のキャップが装着された容器の開栓時の使用快適性が確保される。
【００５１】
この実施形態のキャップでは、スカート凸部（５４）が、図１１において大きなキャップ本体凹部形成突起（２３ａ）と接している位置から、図１２において隣接する大きなキャップ本体凹部形成突起（２３ａ）と接する位置まで、時計回りに略９０°回転することができる。この回転角度は、スカート凸部（５４）及びキャップ本体凹部（２３）の数及び配置によって、任意に調整することができる。この回転角度は、例えば、スカート係合部及びキャップ本体係合部の組数、スカート係合アーム貫通孔（２１）の弧の角度等に応じて、適宜に設定されてよい。
【００５２】
以上のとおり、キャップ本体凹部（２３）及びスカート凸部（５４）は、共同して、閉栓された状態でスカート（５０）とキャップ本体（１０）とが相対的に回転することを防止することにより、意図しない開栓を防止し；必要な時には容易な開栓を可能とするように機能する。
【００５３】
キャップ本体凹部（２３）及びスカート凸部（５４）は、好ましくは更に、開栓された状態でスカート（５０）とキャップ本体（１０）とが相対的に回転することを防止して開栓時の使用快適性を確保し；かつ、スカート（５０）とキャップ本体（１０）との過度の回転を防止してキャップの破損を予防するようにも機能する。
【００５４】
〈他の実施形態の例〉
以上、本発明のキャップについて、典型的な構成を例として説明した。しかし、本発明のキャップは、上記の態様に限定されるものではなく、これに当業者による適宜の変更を加えた態様も、本発明に包含される。
【００５５】
（スカート係合部及びキャップ本体係合部の別例）
本発明のキャップでは、スカートとキャップ本体との相対的な回転により、係合して蓋部の開栓方向への揺動を防止し、又は係合を外れて蓋部の開栓方向への揺動を可能化するために、スカートはスカート係合部を有し、キャップ本体はキャップ本体係合部を有する。
【００５６】
上記に説明した典型例では、
キャップ本体係合部が、蓋部から突出する蓋部係合爪であり、
スカート係合部が、スカートから蓋部係合爪に向かって延在するスカート係合アームであり、
キャップ基部が、スカート係合アームを貫通させて蓋部係合爪に到達させるためのスカート係合アーム貫通孔を有する、
キャップであった。
【００５７】
しかしながら、
スカート係合部が、スカートから突出するスカート係合爪であり、
キャップ本体係合部が、蓋部からスカート係合爪に向かって延在する蓋部係合アームであり、
キャップ基部及びスカートが、それぞれ、蓋部係合アームを貫通させてスカート係合爪に到達させるための蓋部係合アーム貫通孔を有する、
キャップも、本発明に包含される。
【００５８】
この実施形態のキャップにおいて、キャップ本体及びスカートが嵌合し、閉栓状態にあるときの側面断面図を図１５に示す。図１５は、上記の典型例の説明に用いた図９に対応する。
【００５９】
図１５のキャップ（１１０）では、キャップ本体（１０）は、蓋部平面部（４５）下面から延在する蓋部係合アーム（４７）を有する。一方のスカート（５０）は、スカート懸垂部（５６）から外側に突出するスカート係合爪（５９）を有する。蓋部係合アーム貫通孔として、キャップ基部平面部（２５）には蓋部係合アームキャップ基部貫通孔（２９）が形成され、スカート平面部（５５）には蓋部係合アームスカート貫通孔（５８）が形成されている。そして、蓋部係合アーム（４７）が、キャップ基部平面部（２５）に形成された蓋部係合アームキャップ基部貫通孔（２９）及びスカート平面部（５５）に形成された蓋部係合アームスカート貫通孔（５８）を貫通して、スカート係合爪（５９）に到達し、スカート係合爪（５９）と蓋部係合アーム（４７）の先端の爪とが係合している。図１５のキャップ（１１０）では、このような機構により、蓋部（４０）が開栓方向に揺動することが防止されている。
【００６０】
キャップ本体（１０）とスカート（５０）とが相対的に回転するときでも、キャップ基部（２０）と蓋部（４０）とは相対的に回転しないから、蓋部係合アームキャップ基部貫通孔（２９）は、典型例におけるスカート係合アーム貫通孔（２１）の如き弧状の形状を有している必要はない。蓋部係合アームキャップ基部貫通孔（２９）は、蓋部係合アーム（４７）を貫通させ、及び貫通状態から外させることが可能な大きさ及び形状を有していれば足りる。
【００６１】
一方で、スカート（５０）のスカート平面部（５５）に形成される蓋部係合アームスカート貫通孔（５８）は、キャップ本体（１０）とスカート（５０）との相対的な回転に伴う蓋部係合アーム（４７）の弧状の動きを許容し、かつ、蓋部係合アーム（４７）の過度の回転を防止するために、所定の角度の弧状形状を有していてよい。蓋部係合アーム（４７）の弧状形状については、典型例におけるスカート係合アーム（５３）についての上記の説明を、そのまま、又はこれに当業者による適宜の修正を加えたうえで、適用してよい。
【００６２】
更に、
スカート係合部が、スカートから延在するスカート係合アームであり、
キャップ本体係合部が、蓋部からスカート係合アームに向かって延在する蓋部係合アームであり、
キャップ基部が、蓋部係合アームを貫通させてスカート係合アームに到達させるための蓋部係合アーム貫通孔を有する、
キャップも、本発明に包含される。
【００６３】
この実施形態のキャップにおいて、キャップ本体及びスカートが嵌合し、閉栓状態にあるときの側面断面図を図１６に示す。図１６は、上記の典型例の説明に用いた図９に対応する。
【００６４】
図１６のキャップ（１２０）では、キャップ本体（１０）は、蓋部平面部（４５）下面から、図の下方に向かって延在する蓋部係合アーム（４７）を有する。一方のスカート（５０）は、スカート平面部（５５）から蓋部係合アーム（４７）の先端に向かって延在するスカート係合アーム（５３）を有する。そして、キャップ基部平面部（２５）には、蓋部係合アームキャップ基部貫通孔（２９）が形成されている。蓋部係合アーム（４７）は、キャップ基部平面部（２５）に形成された蓋部係合アームキャップ基部貫通孔（２９）を貫通して、スカート係合アーム（５３）に到達し、蓋部係合アーム（４７）の先端の爪とスカート係合アーム（５３）の先端の爪とが係合している。図１６のキャップ（１２０）では、このような機構により、蓋部（４０）が開栓方向に揺動することが防止されている。
【００６５】
図１６のキャップ（１２０）では、図１５のキャップ（１１０）と同様に、キャップ本体（１０）とスカート（５０）とが相対的に回転するときでも、キャップ基部（２０）と蓋部（４０）とは相対的に回転しないから、蓋部係合アームキャップ基部貫通孔（２９）は、典型例におけるスカート係合アーム貫通孔（２１）の如き弧状の形状を有している必要はなく、蓋部係合アーム（４７）を貫通させ、及び貫通状態から外させることが可能な大きさ及び形状を有していれば足りる。
【００６６】
（スナップ用キャップ係合部及びスナップ用スカート係合部の別例）
本発明のキャップには、スカート係合部とキャップ本体係合部とが係合しているときにスナップ係合することにより、スカートとキャップ本体との相対的な回転を制限する、スナップ用キャップ係合部及びスナップ用スカート係合部が設けられている。
【００６７】
上記に説明した典型例では、スナップ用キャップ係合部がキャップ本体凹部であり、スナップ用スカート係合部がスカート凸部であり、スカートとキャップ本体とを相対的に回転させることによって、これらキャップ本体凹部及びスカート凸部をスナップ係合させ、又はスナップ係合を外させるように配置された構成であった。
【００６８】
しかしスナップ用キャップ係合部及びスナップ用スカート係合部は、キャップ本体凸部とスカート凹部との組み合わせであってもよい。スカート凹部は、近接して配置される２つのスカート凹部形成突起の間隙に形成されてよい。
【００６９】
この実施形態のキャップにおけるスナップ用キャップ係合部及びスナップ用スカート係合部の構成を説明するための概略断面図を、図１７に示す。図１７は、上記の典型例の説明に用いた図１１に対応する。
【００７０】
図１７に示したキャップ（１３０）の断面図において、外側の円として現れるスカート懸垂部（５６）は、略９０°ごとの４カ所の内側壁に、２つのスカート凹部形成突起（６０ａ、６０ｂ）から成る組を有する。これらの各組において、2つのスカート凹部形成突起（６０ａ、６０ｂ）の間隙には、スカート凹部（６０）が形成されている。
【００７１】
図１７のキャップ（１３０）においては更に、内側の円として現れるキャップ基部懸垂部（２６）は、略１８０°ごとの２カ所の内側壁に、キャップ本体凸部（２８）を有する。
【００７２】
図１７では、キャップ基部懸垂部（２６）のキャップ本体凸部（２８）は図の水平方向の２カ所にあり、それぞれ、スカート懸垂部（５６）のスカート凹部（６０）のうちの水平方向の２つとスナップ係合している。
【００７３】
キャップ本体凸部（２８）がスカート凹部形成突起（６０ａ、６０ｂ）を乗り越え得るか否かは、スカート（５０）とキャップ本体（１０）との間に加えられる回転力の大小による。スカート（５０）とキャップ本体（１０）との間に加えられる回転力が小さければ、キャップ本体凸部（２８）はスカート凹部形成突起（６０ａ、６０ｂ）を乗り越えられず、したがってスナップ係合を外すことはできず、スカート（５０）とキャップ本体（１０）との相対的な回転が制限されて、開栓防止状態は維持される。スカート（５０）とキャップ本体（１０）との間に加えられる回転力が大きいと、キャップ本体凸部（２８）がスカート凹部形成突起（６０ａ、６０ｂ）のどちらかを乗り越えてスナップ係合を外すことができ、スカート（５０）がキャップ本体（１０）に対して回転することができ、キャップの開栓が可能となる。
【００７４】
したがって、スカート凹部（６０）及びキャップ本体凸部（２８）は、共同して、スナップ係合によってスカート（５０）とキャップ本体（１０）との相対的な回転を制御する、スナップ係合部として機能することができる。
【００７５】
図１７のキャップ（１３０）では、２つのスカート凹部形成突起のうちの片方を、大きい回転力によっても乗り越えられない程度に大きい突起として、回転方向制御機能を持たせてもよい。
【００７６】
図１７のキャップ（１３０）では、２つ（一組）のスカート凹部形成突起のうちの片方を、大きなスカート凹部形成突起（６０ａ）とし、大きなスカート凹部形成突起（６０ａ）及び小さなスカート凹部形成突起（６０ｂ）の形成順が、スカート懸垂部（５６）の内側壁上で隣接する他の組の形成順と逆順になるように構成されている。
【００７７】
図１７のキャップ（１３０）では、キャップ本体凸部（２８）は、大きなスカート凹部形成突起（６０ａ）を乗り越えることはできない。したがって、スカート（５０）がキャップ本体（１０）に対して反時計回りに回転することは防止されている。
【００７８】
（キャップの形状）
本発明のキャップにおけるスカート及びキャップ本体は、任意の形状を有していてよく、それぞれ、例えば、略円柱形状、略楕円柱形状、略多角柱形状等の柱状の形状を有していてよい。
【００７９】
《キャップ付き容器》
本発明の別の観点によると、上記に説明した本発明のキャップ、及び容器から構成される、キャップ付き容器が提供される。
【符号の説明】
【００８０】
１０    キャップ本体
２０    キャップ基部
２１    スカート係合アーム貫通孔
２２    キャップ本体回転用凹部
２３    キャップ本体凹部
２３ａ、２３ｂ    キャップ本体凹部形成突起
２４    キャップ口部
２５    キャップ基部平面部
２６    キャップ基部懸垂部
２８    キャップ本体凸部
２９    蓋部係合アームキャップ基部貫通孔
３０    ヒンジ
４０    蓋部
４１    蓋部係合爪
４２    蓋部密閉形成部
４５    蓋部平面部
４６    蓋部懸垂部
４７    蓋部係合アーム
５０    スカート
５１    スカート開口部
５２    スカート回転用凸部
５３    スカート係合アーム
５４    スカート凸部
５５    スカート平面部
５６    スカート懸垂部
５７    スカート外壁
５８    蓋部係合アームスカート貫通孔
５９    スカート係合爪
６０    スカート凹部
６０ａ、６０ｂ    スカート凹部形成突起
１００、１１０、１２０、１３０    キャップ
【図１】
2020055586.tif 000003
【図２】
2020055586.tif 000004
【図３】
2020055586.tif 000005
【図４】
2020055586.tif 000006
【図５】
2020055586.tif 000007
【図６】
2020055586.tif 000008
【図７】
2020055586.tif 000009
【図８】
2020055586.tif 000010
【図９】
2020055586.tif 000011
【図１０】
2020055586.tif 000012
【図１１】
2020055586.tif 000013
【図１２】
2020055586.tif 000014
【図１３】
2020055586.tif 000015
【図１４】
2020055586.tif 000016
【図１５】
2020055586.tif 000017
【図１６】
2020055586.tif 000018
【図１７】
2020055586.tif 000019